(57)【要約】【課題】座部とともに左右の肘掛け部を覆うように変形して簡単にセットでき、ズレ動くことのない、通気性／透湿性に優れた肘掛け付き車椅子用カバーを提供する。【解決手段】本願カバーは、座部及び左右の肘掛け部を覆うように溝型に変形でき、通気性の高い繊維を利用した表・裏面材と透湿性の高い芯材を用いた布帛からなり、該布帛の裏面側の左右部位に前記肘掛け部を跨いで互いにベルベット式ファスナーにより結合できるグリップ片を対向して設け、前記座部に対応する面に滑り止め素材を用いたことを特徴とし、座っている時間が長時間に及ぶことがあっても快適な座り心地が得られ、不意の汗や失禁にも充分に対応できるように構成した。【選択図】  図２
0003123225.tif 000002
【実用新案登録請求の範囲】
【請求項１】
座部及び左右の肘掛け部を溝型に覆うことのできる通気性／透湿性の布帛からなり、該布帛の裏面の左右面部に前記肘掛け部への結着手段を設けたことを特徴とする肘掛け付き車椅子用カバー。
【請求項２】
座部及び左右の肘掛け部を溝型に覆うことのできる通気性／透湿性の布帛からなり、該布帛の裏面の左右面部に前記肘掛け部への結着手段を設けるとともに、前記布帛を超耐久防汚素材で形成したことを特徴とする肘掛け付き車椅子用カバー。
【請求項３】
座部及び左右の肘掛け部を溝型に覆うことのできる通気性／透湿性の布帛からなり、該布帛の裏面に左右面部を残して前記肘掛け部を下面から巻込めるグリップ片を設け、該グリップ片の巻込み時の外面と前記左右面部とに互いに結合できるベルベット式ファスナーを設けるとともに、前記座部と接する面に滑り止め素材を用いたことを特徴とする肘掛け付き車椅子用カバー。
【考案の詳細な説明】
【技術分野】
【０００１】
本考案は、座部とともに左右の肘掛け部を覆うように変形させて簡単にセットでき、汗をかく時期にも快適な座り心地が得られるとともに、不意の失禁にも対応できるようにした肘掛け付き車椅子用カバーに関するものである。
【背景技術】
【０００２】
一般に、車椅子は、お年寄りを含めて歩くことの困難な者が使用するもので、座っている時間が長時間に及ぶことがある。したがって、汗をかく時期においても快適な座り心地が得られるようにすることが重要である。特に、車椅子は携帯し易いように座部や背部は折り畳み易いように簡易に出来ている。したがって、座り心地は今一歩で、長時間座っていると座部が不意の汗や失禁を吸収できなかった。また、汗をかく時期では肘掛け部に乗せた肘付近の腕があせもでただれることもあり、その対応として座部に座布団やゴザ状の通気性の良い敷物を敷いたり左右の肘掛け部にはタオルを巻いたりしていた。
【考案の開示】
【考案が解決しようとする課題】
【０００３】
しかしながら、座部に敷いた敷物は少しずつズレて仕舞い落ちたり、だらしなく座部よりはみ出すことがあった。また、左右の肘掛け部に巻いたタオルもほどけて落下したり、汚れたりしたまま放置される見苦しさもあった。したがって、これらの解決方が叫ばれていた。
【０００４】
本考案は、上記の点に鑑み案出したもので、その目的とするところは、座部とともに左右の肘掛け部を覆うように変形して簡単にセットでき、ズレ動くことのない、通気性／透湿性に優れたる肘掛け付き車椅子用カバーを提供することにある。
【課題を解決するための手段】
【０００５】
上記の目的を達成するため、本考案に係る肘掛け付き車椅子用カバーは、座部及び左右の肘掛け部を溝型に覆うことのできる通気性／透湿性の布帛からなり、該布帛の裏面側の左右部位に前記肘掛け部への結着手段を備えたことを特徴とし、肘掛け部への結着で簡単にセットでき、しかもズレ動くことがないように構成した。
【０００６】
また、請求項２に記載の肘掛け付き車椅子用カバーは、座部及び左右の肘掛け部を溝型に覆うことのできる通気性／透湿性の布帛からなり、該布帛の裏面の左右面部に前記肘掛け部への結着手段を設けるとともに、前記布帛を超耐久防汚素材で形成したことを特徴とし、布帛が汚れ難く、汚れたときも除去性がよくなるように構成した。
【０００７】
さらに、請求項３に記載の肘掛け付き車椅子用カバーは、座部及び左右の肘掛け部を溝型に覆うことのできる通気性／透湿性の布帛からなり、該布帛の裏面に左右面部を残して前記肘掛け部を下面から巻込めるグリップ片を設け、該グリップ片の巻込み時の外面と前記左右面部とに互いに結合できるベルベット式ファスナーを設けるとともに、前記座部と接する面に滑り止め素材を用いたことを特徴とし、布帛が座部からズレ動きにくくなるように構成した。
【考案の効果】
【０００８】
本考案によれば、座部及び左右の肘掛け部を溝型に覆うことのできる通気性／透湿性の布帛からなり、該布帛の裏面側の左右部位に前記肘掛け部への結着手段を備えたことを特徴としているので、座部及び左右の肘掛け部を覆った通気性／透湿性の布帛は、座っている時間が長時間に及ぶことがあっても快適な座り心地が得られる。特に、不意の汗や失禁にも充分に対応できるばかりでなく、肘掛け部を覆うためにタオル等を巻く必要がなく、タオルの汚れによる見苦しさも解消できるなど各種の優れた効果を奏するものである。
【０００９】
また、請求項２に記載の考案によれば、座部及び左右の肘掛け部を溝型に覆うことのできる通気性／透湿性の布帛からなり、該布帛の裏面の左右面部に前記肘掛け部への結着手段を設けるとともに、前記布帛を超耐久防汚素材で形成したことを特徴としているので、布帛に汚れが着きにくく、いつまでも美麗に保てる上に、たとえ汚れが着いたとしても簡単に除去できるという優れた効果を奏するものである。
【００１０】
さらに、請求項３に記載の考案によれば、座部及び左右の肘掛け部を溝型に覆うことのできる通気性／透湿性の布帛からなり、該布帛の裏面に左右面部を残して前記肘掛け部を下面から巻込めるグリップ片を設け、該グリップ片の巻込み時の外面と前記左右面部とに互いに結合できるベルベット式ファスナーを設けるとともに、前記座部と接する面に滑り止め素材を用いたことを特徴としているので、ベルベット式ファスナーによる肘掛け部への結合が簡易に、しかも、しっかりと固定化できる上に、座部と接する面に滑り止め素材を用いたために座部に対して布帛がズレにくくなるなど各種の優れた効果を奏するものである。
【考案を実施するための最良の形態】
【００１１】
次に、本考案の実施の最良の態様を図面に基いて説明する。図１は本願カバーの使用状態を示す斜視図、図２は本願カバーの裏面側を見た斜視図、図３（ａ）、（ｂ）はグリップ片を示す断面図、図４は布帛の断面図である。
【００１２】
１は本願カバーで、該本願カバー１は、図１の如く、肘掛け付き車椅子２の座部３及び左右の肘掛け部４、４を溝型に覆うことのできる通気性／透湿性の布帛５からなり、該布帛５の裏面側の左右面部Ｐを残して、図２の如く、前記肘掛け部４、４への結着手段６を備えている。
【００１３】
前記結着手段６は、２条の結び紐（図示せず）を設置し、前記肘掛け部４、４に結び付けるようにしても良い。また、前記左右面部Ｐを残して前記肘掛け部４、４を、図３の如く、その下面から巻込めるグリップ片６ａを設け、該グリップ片６ａの巻き込み時の外側先端部と、前記左右面部Ｐとに、図３（ａ）の如く、互いに結合できるベルベット式ファスナー６ｂ、６ｂ′を設けてもよい。さらに、前記グリップ片６ａの巻き込み時の外側先端部と、前記左右面部Ｐとに、図３（ｂ）の如く、互いに雌雄結合できる雌雄結合具（たとえば、ホック）６ｃ、６ｃ′を設けてもよい。
【００１４】
前記グリップ片６ａの巻き込み時の内面には、図３（ａ）、（ｂ）の如く、滑り止め素材６ｄを用い、グリップ片６ａをベルベット式ファスナー６ｂ、６ｂ′あるいは雌雄結合具６ｃ、６ｃ′を介して結合したとき、前記グリップ片６ａが前記肘掛け部４、４をしっかり把持し、布帛５のズレを防止できるように構成してもよい。この滑り止め素材６ｄは図２の如く、前記布帛５の前記座部２と接する面に用いて座部に対して布帛がズレにくくすることもある。ここに滑り止め素材６ｄとしてはポリ塩化ビニルレザー（スノーボード用手袋に滑り止めとして使用した実績がある。）を用いて満足できる。
【００１５】
前記布帛５は、図４の如く、通気性の高い繊維（たとえば、ポリエステル繊維）を利用した織物又は編物を２枚重ねて表裏面材５ａ、５ｂとし、前記座部２に対応する部位に透湿性の高いポリウレタンシートからなる芯材５ｃを用いた複合体にするとよい。このように布帛５を複合体としたのは、優れた通気性／透湿性を有し、かつ、不意な汗や失禁などに対しても充分な吸収性を確保できるようにするためである。なお、前記芯材５ｃは図示の如く、１枚には限らない。図中、７は縁取り布、８は縫い糸である。
【００１６】
前記布帛５の少なくとも表面材５ａは超耐久防汚素材で形成するとよい。この素材は特殊フッ素系撥水剤を使用し、耐久撥水撥油性を付与してなり、水性油性の汚れが付着しにくい上に、付着したこの種の汚れに抜群の除去性能を有している。この素材として石川県に本社を置く小松精錬株式会社製の「リップガードＷ（商標）」あるいは「リップガードＨ（商標）」名で販売しているものを使用して満足できる。
【産業上の利用可能性】
【００１７】
本願カバーは、肘掛け付き車椅子の座部とともに左右の肘掛け部を覆うように沿わせて簡単にセットでき、汗をかく時期にも快適な座り心地が得られるとともに、不意の失禁にも対応できるもので、これから迎える高齢者の車椅子社会がより充実するように工夫したものである。
【図面の簡単な説明】
【００１８】
【図１】本願カバーの使用状態を示す斜視図である。
【図２】本願カバーの裏面側を見た斜視図である。
【図３】（ａ）、（ｂ）はグリップ片を示す断面図である。
【図４】布帛の断面図である。
【符号の説明】
【００１９】
１  本願カバー
２  肘掛け付き車椅子
３  座部
４  肘掛け部
５  布帛
５ａ、６ｂ  表・裏面材
５ｃ  芯材
６  結着手段
６ａ  グリップ片
６ｂ  ベルベット式ファスナー
６ｃ  雌雄結合具
６ｄ  滑り止め素材
７  縁取り布
８  縫い糸
【図１】
0003123225.tif 000003
【図２】
0003123225.tif 000004
【図３】
0003123225.tif 000005
【図４】
0003123225.tif 000006